(57)【要約】      （修正有）【課題】軽い重量及び少ない体積を有し、持ち運びや設定が容易であるスネアトラップを提供する。【解決手段】スネアアセンブリ２０は、輪縄２１１を備えるケーブル２１と、前記ケーブルにスリーブされる当接機構２２と、前記ケーブルに配置される制限機構２３と、前記当接機構と前記制限機構の間に配置される弾性部材２４とを含む。前記輪縄は、トリガベース１０の周囲に放出可能に配置され、前記弾性部材は、前記制限機構により圧縮可能で制限される。前記弾性部材は、互いに接続される複数のセグメントを含み、前記複数のセグメントのうちの少なくとも１つは、それぞれ異なる外径寸法を持つ複数のコイルを含む。前記トリガベースの周囲に前記輪縄が配置され、前記弾性部材が圧縮されると、前記複数のコイルのうち少なくとも２つが互いに放射状に重なる。【選択図】図１
0003234250.tif 000002
【実用新案登録請求の範囲】
【請求項１】
トリガベースと
輪縄を備えるケーブルと、前記ケーブルを通すスリーブ状の当接機構と、前記ケーブルに配置される制限機構と、前記当接機構と前記制限機構の間に配置される弾性部材とを含み、前記輪縄が、前記トリガベースの周囲に放出可能に配置され、前記弾性部材は圧縮された状態で前記制限機構により伸長を制限されるように構成されたスネアアセンブリと、
を含む、スネアトラップであって、
前記弾性部材が、互いに接続される複数のセグメントを含み、前記複数のセグメントのうちの少なくとも１つは、それぞれ異なる外径寸法を持つ複数のコイルを含み、前記トリガベースの周囲に前記輪縄が配置され、前記弾性部材が圧縮されると、前記複数のコイルのうち少なくとも２つが互いに放射状に重なる
ことを特徴とするスネアトラップ。
【請求項２】
前記弾性部材が、軸方向に交互に配置される、複数の大径部と複数の小径部とを含むことを特徴とする請求項１記載のスネアトラップ。
【請求項３】
前記複数のセグメントのそれぞれが、螺旋状に伸び、前記複数の大径部の１つから前記複数の小径部の１つに向かってテーパーすることを特徴とする請求項２記載のスネアトラップ。
【請求項４】
前記複数の小径部の１つの最小外径に対する前記複数の大径部の１つの最大外径の比が２ないし５であることを特徴とする請求項２記載のスネアトラップ。
【請求項５】
前記弾性部材が、少なくとも５つのセグメントを含むことを特徴とする請求項１記載のスネアトラップ。
【請求項６】
前記ケーブルの直径が、２ｍｍないし１０ｍｍであることを特徴とする請求項１記載のスネアトラップ。
【請求項７】
前記弾性部材の線径が、１．５ｍｍないし３．０ｍｍであることを特徴とする請求項１記載のスネアトラップ。
【請求項８】
前記弾性部材の線径に対する前記ケーブル２１の直径の比が、２．０ないし３．５であることを特徴とする請求項１記載のスネアトラップ。
【請求項９】
さらに、地面内に挿入されるように構成されるブロック部材を含み、前記ブロック部材が中空部を含み、前記トリガベースが前記ブロック部材に配置されたとき前記中空部の開口部を覆うことを特徴とする請求項１記載のスネアトラップ。
【請求項１０】
前記複数のセグメントのそれぞれは、螺旋状に伸び、前記複数の大径部の１つから前記複数の小径部の１つに向かってテーパーし、前記複数のセグメントが、互いに連続的に接続され、前記弾性部材が圧縮されると、前記複数のコイルのうち少なくとも２つが互いに放射状に重なり、前記弾性部材が、少なくとも５つのセグメントを含み、前記ケーブルの直径が４ｍｍないし８ｍｍであり、前記弾性部材の線径が１．６ｍｍないし２．６ｍｍであり、前記弾性部材の線径に対する前記ケーブルの直径の比が２．０ないし３．５であり、さらに地面内に挿入されるように構成されるブロック部材を含み、前記ブロック部材が中空部を含み、前記トリガベースが前記ブロック部材に配置されたとき前記中空部の開口部を覆い、前記トリガベースがプレート及び前記プレート上に枢動可能に配置された２つのクリップとを含み、前記プレートの直径寸法が前記開口部の直径寸法よりも小さく、前記２つのクリップがそれぞれ半径方向外側に延在し、前記ブロック部材に放出可能に配置される少なくとも１つの係合アームを有することを特徴とする請求項４記載のスネアトラップ。
【考案の詳細な説明】
【技術分野】
【０００１】
本考案は、スネアトラップに関する。
【背景技術】
【０００２】
従来のスネアトラップは、トリガベースと、ケーブルと、スプリング機構とを含む。スプリング機構は、当接部材と、制限部材と、スプリングと、スリーブ管を含む。当接部材と制限部材は、ケーブルに配置され、スプリングとスリーブ管は、当接部材と制限部材の間に配置される。動作中、ケーブルは、トリガベースによりその設定を維持する輪縄を形成し、そして、スプリングは、力を蓄積するように、当接部材と制限部材の間で圧縮され、制限部材により制限される。スリーブ管は、簡単な操作により、スプリングの圧縮中にスプリングをガイドして受け入れる。ケーブルの輪縄と反対側の端は、対象（木、柱など）に固定され、トリガベースは、ピットに配置される。トリガベースが動物に踏まれると、トリガベースがピットに落ち、輪縄がトリガベースから切り離され、動物の足にスリーブが掛けられ、スプリングが伸びて当接部材を押し、動物の足の周りに輪縄を締める。
【０００３】
しかし、従来のスネアトラップのスプリングは、密着長が長いため、スプリングの密着長に対応する寸法を持つ、スプリング全体を収容するスリーブ部材が必要となり、スネアトラップの重量と体積が増加し、持ち運びや設定が不便である。
【０００４】
そのため、本考案は、上記の欠点を回避または少なくとも軽減するために提案される。
【考案の概要】
【考案が解決しようとする課題】
【０００５】
本考案の主な目的は、軽い重量及び少ない体積を有し、持ち運びや設定が容易であるスネアトラップを提供することにある。
【０００６】
上記及び他の目的を達成するために、本考案のスネアトラップは、トリガベースとスネアアセンブリを含む。前記スネアアセンブリは、輪縄を備えるケーブルと、前記ケーブルを通すスリーブ状の当接機構と、前記ケーブルに配置される制限機構と、前記当接機構と前記制限機構の間に配置される弾性部材とを含む。前記輪縄は、トリガベースの周囲に放出可能に配置され、前記弾性部材は圧縮された状態で前記制限機構により伸長を制限される。前記弾性部材は、互いに接続される複数のセグメントを含み、前記複数のセグメントのうちの少なくとも１つは、それぞれ異なる外径寸法を持つ複数のコイルを含む。前記トリガベースの周囲に前記輪縄が配置され、前記弾性部材が圧縮されると、前記複数のコイルのうち少なくとも２つが互いに放射状に重なる。
【０００７】
本考案は、例示の目的のみで本考案に係る好ましい実施形態を示す、添付図面を参照しながら、以下の説明でより明白となる。
【図面の簡単な説明】
【０００８】
【図１】本考案の立体図である。
【図２】本考案の拡大図である。
【図３】本考案の組み立てを示す立体図である。
【図４】弾性部材が圧縮されている場合の本考案の断面図である。
【図５】弾性部材が完全に圧縮される場合の本考案の断面図である。
【図６】本考案の弾性部材の自由長と密着長との比較を示す模式図である。
【図７】本考案の設定を示す断面図である。
【図８】本考案の動作を示す模式図である。
【考案を実施するための形態】
【０００９】
本考案の好ましい実施形態は、図１ないし８を参照する。本考案のスネアトラップは、トリガベース１０とスネアアセンブリ２０とを含む。
【００１０】
スネアアセンブリ２０は、輪縄２１１を備えるケーブル２１と、ケーブル２１を通すスリーブ状の当接機構２２と、ケーブル２１に配置される制限機構２３と、当接機構２２と制限機構２３との間に配置される弾性部材２４とを含む。輪縄２１１は、トリガベース１０の周囲に放出可能に配置され、弾性部材２４は圧縮された状態で制限機構２３により伸長を制限される。弾性部材２４は、互いに接続される複数のセグメント２４１を含み、複数のセグメント２４１の少なくとも１つは、それぞれ異なる外径寸法を持つ複数のコイル２４２を含む。トリガベース１０の周囲に輪縄２１１が配置され、弾性部材２４が圧縮されると、複数のコイル２４２のうち少なくとも２つが互いに放射状に重なり、軽い重量及び少ない体積を有し、持ち運びや設定が容易となる。
【００１１】
弾性部材２４は、軸方向に交互に配置される、複数の大径部２４３と複数の小径部２４４とを含む。弾性部材２４が圧縮されると、複数の小径部２４４の一部が、圧縮後に弾性部材２４の長さを大きく減少するように、複数の大径部２４３と放射状に重なる。複数の小径部２４４の１つの最小外径に対する複数の大径部２４３の１つの最大外径の比は、弾性部材２４が良好な構造強度を有し、かつ複数の大径部２４３が複数の小径部２４４を受け取るのに十分な大きさとなるように、２ないし５である。
【００１２】
本実施形態では、弾性部材２４は、少なくとも５つの上記セグメント２４１を含む。複数のセグメント２４１は、互いに連続的に接続され、十分な弾性力を提供する。複数のセグメント２４１のそれぞれは、螺旋状に伸び、複数の大径部２４３の１つから複数の小径部２４４の１つに向かってテーパーし、弾性部材２４が圧縮される場合に少ない体積と好ましい力蓄積効果を有することを可能にする。上記のような構造を有する場合、図６に示すように、弾性部材２４は、自由長Ｌ１から圧縮長Ｌ２まで圧縮可能であり、スネアトラップの体積を大幅に減少させる。他の実施形態では、複数のセグメントは、ケーブル上で別々にスリーブされ、互いに接続して移動可能である。当接する２つのセグメントは、同じ直径寸法を有するロッドやコイル等の連結セグメントにより互いに接続されることができる。
【００１３】
十分な構造強度を提供するために、ケーブル２１の直径は、２ｍｍないし１０ｍｍであり、弾性部材２４の線径は、１．５ｍｍないし３．０ｍｍである。好ましくは、輪縄２１１を引き締め過ぎたり、締め付けが不十分になることを防ぐように、弾性部材２４がケーブル２１の輪縄２１１を締付ける適切な弾性力を提供することができることから、ケーブル２１の直径は、４ｍｍないし８ｍｍであり、弾性部材２４の線径は、１．６ｍｍないし２．６ｍｍであり、弾性部材２４の線径に対するケーブル２１の直径の比は、２．０ないし３．５である。
【００１４】
本実施形態では、当接機構２２は、スリーブ状をなしてケーブル２１を通し、輪縄部２１１と弾性部材２４の間に配置される第１のエンドキャップ２２１を含み、制限機構２３は、制限部材２３１と、スリーブ状をなしてケーブル２１を通し弾性部材２４と制限部材２３１の間に配置される第２エンドキャップ２３２とを含む。スネアアセンブリ２０は、さらに、スリーブ状をなしてケーブル２１を通し、第１と第２のエンドキャップ２２１、２３２の間に配置されるスリーブ管３０を含み、弾性部材２４は、スリーブ管３０内に収容されるように圧縮可能である。動作時に、図４に示すように、輪縄２１１はトリガベース１０の周りに配置され、第２のエンドキャップ２３２は第１のエンドキャップ２２１に向かって押されて弾性部材２４を圧縮し、スリーブ管３０は、弾性部材２４が圧縮中に歪むことを防ぐ。図５に示すように、弾性部材２４が所定の長さに圧縮されると、第２のエンドキャップ２３２は、弾性部材２４の伸長を制限するように制限部材２３１によりブロックされる。別の実施形態では、スリーブ管は、第１と第２のエンドキャップのうちの１つと一体的に接続されることができ、制限部材は、第２のエンドキャップと一体的に接続することができ、第１と第２のエンドキャップは、ケーブルに追加で配置された要素によりケーブルに対してスリーブを形成することができる。
【００１５】
スネアトラップは、さらに、地面内に挿入されるように構成されるブロック部材４０を含む。図７に示すように、ブロック部材４０は、管であって中空部４１を含み、トリガベース１０はブロック部材４０に配置されたとき中空部４１の開口部を覆う。トリガベース１０は、プレート１１と、プレート１１上に枢動可能に配置された２つのクリップ１２とを含み、プレート１１の直径寸法は、前記開口部の直径寸法よりも小さい。２つのクリップ１２は、それぞれ、半径方向外側に延在し、ブロック部材４０に放出可能に配置される少なくとも１つの係合アーム１２１を有する。図８に示すように、動物がプレート１１を踏むと、２つのクリップ１２がプレート１１から離れるように振り落とされ、縄２１１がクリップ１２から切り離され、動物の足にスリーブが付けられ、弾性部材２４が伸びて当接部材を押して、動物の足の周りの縄２１１を締める。
【００１６】
本考案の特定の実施形態は、説明の目的のために詳細に説明されるが、種々の修正および改良は、本考案の趣旨および範囲から逸脱することなく行われてもよい。したがって、本考案の技術的範囲は、添付の請求の範囲の記載に限定されるものではない。
【図１】
0003234250.tif 000003
【図２】
0003234250.tif 000004
【図３】
0003234250.tif 000005
【図４】
0003234250.tif 000006
【図５】
0003234250.tif 000007
【図６】
0003234250.tif 000008
【図７】
0003234250.tif 000009
【図８】
0003234250.tif 000010